(57)【特許請求の範囲】
【請求項１】
落下するコインを受け止めて回転する選別用のクレイドル40をもつコイン選別装置において、
前記選別装置は、垂直に配置した大略矩形状の樹脂製のベース部6Ｙ、6Ｋ、6Ｃと、前記ベース部と相対しかつ該ベース部上部に開閉可能に枢軸された樹脂製のドア部7と、前記ベース部と前記ドア部との間に形成されたコインが転動する傾斜した通路25とを備え、
前記ドア部の外面に前記クレイドルを回転自在に外装する枢軸41をその元端部に鍔49を設けて突設し、前記枢軸にオイルを含有した筒型の樹脂製の軸受け41Ｂを外装し、この軸受けに前記クレイドルをその本体40に形成した開口40Ｈに装着した金属から成る円筒形のボス40Ｂを介して外装すると共に、前記枢軸の先端には前記クレイドルのボスの抜け止めリング47を止着し、前記枢軸に設けてある前記鍔49により前記クレイドルが前記ドア部から浮いた状態で回転自在に装着されていることを特徴とするコイン選別装置。
【発明の詳細な説明】
【０００１】
【発明の属する技術分野】
本発明は貨幣であるコインを選別するためのコイン選別装置に関する。
とくに本発明は所定のコインを機械的に選別するための装置に関する。
本発明は具体的には機械的にコインを選別する装置に使用されるクレイドルに関する。
言い換えると本発明は所定のコインのみを機械的に選別するコイン選別装置のクレイドルに関する。
なお本発明によるコイン選別装置は例えば自動販売機あるいは両替機やゲーム機などに組み込まれる。
したがって用語「コイン」には国内外の通貨あるいはゲーム用のメダルやトークンなど小形の円板体が含まれる。
【０００２】
【従来の技術】
従来、機械式のコイン選別装置としては種々のものが知られている。
たとえば本件出願人の特公昭６３−２９３０８（特願昭５４−６５３５６）号公報にはコイン選別装置が開示されている。
また此の特許出願は米国特許第４，３７６，４８０号になっている。
このコイン選別装置は図５から図７に概略的に示されている。
まず装置には矩形金属のフロント板１の上下にコインの投入口２と返却口４とがそれぞれ設けられている（図５を参照）。
そして其れ等の間には返却レバー３が設けられている。
このフロント板１の裏側には大略矩形になる金属のベース板６の前縁が固定されている（図６を参照）。
【０００３】
このベース板６の上縁には小形矩形になる金属のドア板７の上縁が弾性をもつヒンジ１４によって挟まれている。
ベース板６とドア板７との間には図７に示されようにコイン選別のための斜めの通路２５が形成されている。
なおドア板７の後縁ならびに下縁は横向きＴ形金属ダイカストのシュートカバー板８によって囲まれている（図６を参照）。
このシュートカバー板８の前端は例えばネジ１８とナット１９でフロント板１に固定されている。
またシュートカバー板８の後縁はリング部の孔１５とベース板６の突起１６とによって連結されている。
【０００４】
図７に示されるように斜めになるコイン選別の通路２５は右上で投入口２に連通されている。
そして通路２５は左下で所定の真正なコインを取り込むための収容シュート２６に連通されている。
なお通路２５は図右下の返却シュート２７を介在して返却口４に連通されている。斜め通路２５の上方には大略Ｖ字形のクレイドル４０がドア板７を介在して枢軸４１されている（図６を参照）。
クレイドル４０は選別されるコインの直径よりも少し小さい距離に離間された二個のフック片４２と４３を有している。
フック片４２と４３はドア板７の円弧孔４４と４５を遊嵌状に貫通して通路２５内に突出している（図６を参照）。
【０００５】
なおクレイドル４０に配置されている小さな円柱形の４６はバランス用のウエイトである。
またクレイドル４０寄りの３５は小さい棒形の磁石でありドア板７に取り付けられている。
鉄片や鉄の疑似コインなどを吸着して取り除くためのものである。
図７中央の５７はコインを転動するための傾斜レールでありベース板６の通路２５側に形成されいる。
傾斜レール５７の下方ほぼ半分にはコインの厚みチェックのためのスリット６６が形成されている。
なお此のスリット６６の幅調整はドア板７に螺着されたネジ６７の進退によって行われる（図６の中央を参照）。
【０００６】
なお図７の通路２５の中央には材質チェック用の磁石５０が配設されている。
ここで当該装置によるコインの選別を図７にもとづいて概略的に説明する。
図７には左下方の収容シュート２６に落下する所定の真正なコインＡの経路が示されている。
また図７には右下方の返却シュート２７に落下して返却口４に戻される疑似コインＢの経路が示されている。
まずコインは選別装置の投入口２で直径ならびに厚みがチェックされる。
これらの何れかが大きいときは投入口２に挿入されず疑似コインＢ１として排除される。
投入口２を通過したコインＡ１はベース板６に形成された通路２５のガイド片９９によりクレイドル４０に案内される。
【０００７】
クレイドル４０に案内されたコインはコインＡ２のように一対のフック片４２と４３の間に保持される。
このとき直径の小さな疑似コインはクレイドル４０を通過して矢印Ｂ２で示されるように返却シュート２７に落下する。
また鉄製の疑似コインは磁石３５によって吸着される。
なお磁石３５によって吸着された疑似コインは返却レバー３によるドア板７の開閉で返却シュート２７に落下する。
コインが一対のフック片４２と４３の間に保持されると当該コインの重みでクレイドル４０は矢印Ａ３の方向に回動される。
したがってクレイドル４０はコインの重みもチェックすることになる。
【０００８】
クレイドル４０から放り出されたコインは矢印Ａ４に示されるように傾斜レール５７を回転して通過する。
このときコインはスリット６６によって厚みチェックを受け薄手の疑似コインは矢印Ｂ３に示されるように返却シュート２７に戻される。
さらにコインは傾斜レール５７を通過するとき磁石５０によって強力な磁気を受ける。
磁気に影響された疑似コインはスピードが押さえられる。
スピードが落ちた疑似コインはギザチェックの爪７９ならびにコインの振り分け片７４を乗り越えることができない。
【０００９】
したがって疑似コインは矢印Ｂ４に示されるように返却シュート２７に戻される。かくして磁気に影響されない真正な所定のコインＡはスピードが制動されずに爪７９ならびに振り分け片７４を乗り越える。
この結果、真正なコインＡは矢印Ａ５から矢印Ａ６へと転動して収容シュート２６を通過し金庫ボックス（図示略）に収納される。
なお此のとき検出スイッチ８０の作動アーム８２が動作されることになる。
【発明が解決しようとする課題】
以上に説明したように機械式コイン選別装置においてはクレイドルがコイン毎に回転されることになる。
【００１０】
そしてクレイドルは真鍮などの金属製であり当該クレイドルは鋼などの金属製の枢軸に回転自在に外装されている。
したがってクレイドルがコイン毎に回転されて多数回になると金属同士の一種の焼き付きが生じるという問題点があった。
言い換えると金属同士の一種の焼き付きによってクレイドルの回転が鈍るという問題点があった。
他方、コインも銅や白銅あるいは真鍮などの金属製であるため金属粉が発生する。言い換えると金属製コインが金属製クレイドルに填り込む接触によって金属粉が発生する。
【００１１】
このためクレイドルと枢軸との間にはオイルが使用できないという問題点があった。
すなわちクレイドルと枢軸との間にはオイルを使用すると金属粉や塵埃が付着してクレイドルの回転が鈍るという問題点があった。
本発明はクレイドルの回転を更にスムーズにするという目的から開発されたものである。
言い換えると本発明はクレイドルの回転を更にスムーズにしたコイン選別装置の提供を目的に開発されたものである。
【課題を解決するための手段】
【００１２】
本発明は、落下するコインを受け止めて回転する選別用のクレイドルをもつコイン選別装置において、前記選別装置は、垂直に配置した大略矩形状の樹脂製のベース部と、前記ベース部と相対しかつ該ベース部上部に開閉可能に枢軸された樹脂製のドア部と、前記ベース部と前記ドア部との間に形成されたコインが転動する傾斜した通路とを備え、前記ドア部の外面に前記クレイドルを回転自在に外装する枢軸をその元端部に鍔を設けて突設し、前記枢軸にオイルを含有した筒型の樹脂製の軸受けを外装し、この軸受けに前記クレイドルをその本体に形成した開口に装着した金属から成る円筒形のボスを介して外装すると共に、前記枢軸の先端には前記クレイドルのボスの抜け止めリングを止着し、前記枢軸に設けてある前記鍔により前記クレイドルが前記ドア部から浮いた状態で回転自在に装着されていることを特徴とするコイン選別装置である。
【発明の実施の形態】
以下に本発明を其の実施について添付の図面を参照しつつ説明する。
【００１３】
なお同様な機能をもつ場合には従来例において使用された参照数字ならびに符号が再度使用されている。
図１の（Ａ）は本発明による一実施例を示す斜面図であり図１の（Ｂ）は其の組み立て前の分解斜面図である。
図２の（Ａ）は同じ実施例の立面図であり図２の（Ｂ）は線Ａ−Ａからみた断面図である。
図３は本発明による一実施例の取り付けを示す斜面図である。
図４は本発明による一実施例の使用状態を示す立面図である。
本発明による一実施例のクレイドルは図１の（Ａ）に示されるように全体が概略Ｖ形に形成されている。
【００１４】
クレイドルの本体４０は真鍮などの金属板が概略Ｖ形に形成されている。
そして本体４０の各先端部はそれぞれ同じ方向に直角に屈曲されてフック片４２と４３に形成されている。
本体４０の中央下には小さな開孔４６Ｈが形成されている（図１（Ｂ）を参照）。この開孔４６Ｈには円柱形になるウエイト４６の径小部４６Ｐが挿入されている。そして径小部４６Ｐのカシメによってバランス用のウエイト４６がクレイドル本体４０に固定されている（図２（Ｂ）を参照）。
なおウエイト４６は真鍮などの金属製から成る。
クレイドル本体４０の中央上には少し大きな開孔４０Ｈが形成されている（図１（Ｂ）を参照）。
【００１５】
この開孔４０Ｈには円筒形になるボス４０Ｂの径小部４０Ｐが挿入されている。そして径小部４０Ｐの外縁のカシメによってボス４０Ｂはクレイドル本体４０に固定されている（図２（Ｂ）を参照）。
なおボス４０Ｂは真鍮などの金属製から成る。
円筒形のボス４０Ｂ内には少し長い筒形の軸受け４１Ｂがスライド可能に挿入されている。
この軸受け４１Ｂはオイル含有の軸受けであり本実施例ではオイルを含浸するポリアセタール樹脂製である。
したがって軸受け４１Ｂはオイルを含有する金属合金製であっても良いことは勿論である。
【００１６】
言い換えると軸受け４１Ｂは多孔質にオイルをしみ込ませた物質によって形成されている。なおオイル含浸の軸受け４１Ｂはオイルを含有する樹脂製であることが望ましいことは勿論である。
上述の構成からなる本実施例のクレイドルは例えば図４に示されるような機械式のコイン選別装置に使用される。具体的には図３の中央に示されるように枢軸４１が軸受け４１Ｂの長孔４１Ｈ内に回転自在に挿入される。言い換えると筒形の軸受け４１Ｂは枢軸４１に外装される。
【００１７】
図４に示される機械式コイン選別装置は矩形板状のプラスチック成形品からなるフロント部（１）を有している。
そして当該コイン選別装置は大きな概略矩形板状のプラスチック成形品からなるベース部（６Ｙ、６Ｋ、６Ｃなど）を有している。
さらに当該装置は大略尾びれ形のプラスチック成形品からなるシュートカバー部（８）を有している。
なお前記ベース部ならびにシュートカバー部はフロント部の裏部に金属プレート（図示略）を介在して固定されている。
加えて当該コイン選別装置は少し小さな矩形板状のプラスチック成形品からなるドア部７を有している。
【００１８】
このドア部７の上縁は前記ベース部の上部に開閉可能に枢軸（１４Ｂ）されている。
図３には当該ドア部７が分解されて示されている。
ドア部７の前縁側の中央にはクレイドル用の枢軸４１が例えばプラスチック成形時に固定されている。
この枢軸４１は鋼などの金属からなり元端部に鍔４９が形成されている。
そして枢軸４１周りのドア部７には二個の円弧孔４４と４５が形成されている。クレイドル本体４０はオイル含有の軸受け４１Ｂを介在して枢軸４１に回転自在に外装される。
そしてクレイドルはＥ形のリング４７によって抜け止めにされる。
【００１９】
なおクレイドル本体４０の各フック片４２と４３はそれぞれ円弧孔４４と４５内に遊嵌される（図４を参照）。
かくしてクレイドルはオイル含有の軸受け４１Ｂを介在して枢軸４１に回転自在に外装される。
したがって本実施例によるクレイドル本体４０の回転はスムーズであった。
とくに軸受け４１Ｂをオイル含浸の樹脂製にするとクレイドル本体４０の回転が更にスムーズになった。
なおオイル含有樹脂の軸受け４１Ｂを少し長手にして金属の鍔４９あるいはリング４７に接触するようにする。
この場合、軸受け４１Ｂが樹脂であるためクレイドルには金属焼き付けが生じなくなる。
【００２０】
なお図３右の少し大きな概略Ｖ字形のものはヨーク体７Ａである。
このヨーク体７Ａは鉄などの金属板からなり後縁中央には磁路をつくるための鉄部５５が突出屈曲されている。
なお通常はヨーク７Ａが閉じられておりスプリング１４Ａの弾性に抗してヨーク７Ａが開かれる。
また磁路用の鉄部５５はドア体７の大きな窓穴７Ｄを貫通自在になる。
ヨーク７Ａが一体的に結合されたドア体７はフック部１４Ｄの弾性に抗してベース体６に取り付けられる（図４を参照）。
すなわちピン軸１４Ｂをベース体６の軸受け片６Ｋに挿入する。
そしてフック部１４Ｄを弾性に抗してベース体６上縁の切り欠けに掛ける。
【００２１】
【発明の効果】
以上のように本発明はオイル含有の軸受けを介在して枢軸にクレイドルを回転自在に外装するようにした。
言い換えると本発明はクレイドルと枢軸との間に金属粉や塵埃の付着が生じ無いオイル含浸の軸受けを配設した。
したがって本発明によってクレイドルの回転が更にスムーズになるという大きな効果が得られた。
とくに軸受けをオイル含浸の樹脂製にすると多数回の回転があっても金属同士の一種の焼き付きが生じなかった。
さらにオイル含有の軸受けを少し長手にすると金属同士の一種の焼き付きが皆無になってクレイドルの回転が更にスムーズになった。
【図面の簡単な説明】
【図１】図１の（Ａ）は本発明による一実施例を示す斜面図であり図１の（Ｂ）は其の組み立て前の分解斜面図である。
【図２】図２の（Ａ）は同じ実施例の立面図であり図２の（Ｂ）は線Ａ−Ａからみた断面図である。
【図３】図３は本発明による一実施例の取り付けを示す斜面図である。
【図４】図４は本発明による一実施例の使用状態を示す立面図である。
【図５】図５は従来例を正面サイドから見た斜面図である。
【図６】図６は図５の従来例を背面サイドから見た斜面図である。
【図７】図７は上記従来例の動作を説明するための概略図である。
【符号の説明】
７：    ドア体（ドア部を構成する）、
４０：  クレイドルの本体、
４０Ｂ：クレイドルのボス、
４０Ｐ：径小部、
４１：  枢軸、
４１Ｂ：軸受け、
４２：  フック片、
４３：  フック片、
４４：  円弧孔、
４５：  円弧孔、
４６：  ウエイト、
４６Ｐ：径小部、
４７：  Ｅリング、
４９：  鍔。
【図１】
0004143709.tif 000002
【図２】
0004143709.tif 000003
【図３】
0004143709.tif 000004
【図４】
0004143709.tif 000005
【図５】
0004143709.tif 000006
【図６】
0004143709.tif 000007
【図７】
0004143709.tif 000008